【手続補正書】
【提出日】令和3年7月5日(2021.7.5)
【手続補正１】
【補正対象書類名】特許請求の範囲
【補正対象項目名】全文
【補正方法】変更
【補正の内容】
【特許請求の範囲】
【請求項１】
複数の記録材に画像を連続的に形成する画像形成ジョブを実行可能な画像形成装置であって、
静電像が形成される像担持体と、
前記像担持体に静電像を形成するために前記像担持体を露光する露光装置と、
前記像担持体に形成された静電像を現像するためにトナーとキャリアを含む現像剤を担持する現像剤担持体と、前記現像剤担持体に供給される前記現像剤を収容する現像容器と、前記現像容器に収容された前記現像剤を搬送する現像剤搬送部と、を有する現像装置と、
前記現像装置に補給用現像剤を補給するための補給用スクリュと、
前記補給用スクリュを回転駆動するための駆動装置と、 
複数の第一の記録材に画像を連続的に形成する画像形成ジョブを実行している間に前記現像装置に前記補給用現像剤を所定量補給するために前記補給用スクリュを所定回数回転させるときの、前記補給用スクリュの回転速度が第一の速度となるように前記駆動装置を制御し、且つ、前記第一の記録材よりも副走査方向の長さが長い複数の第二の記録材に画像を連続的に形成する画像形成ジョブを実行している間に前記現像装置に前記補給用現像剤を前記所定量補給するために前記補給用スクリュを前記所定回数回転させるときの、前記補給用スクリュの回転速度が前記第一の速度よりも遅い第二の速度となるように前記駆動装置を制御するモードを実行可能な制御部と、
を備えることを特徴とする画像形成装置。
【請求項２】
前記第二の記録材の前記副走査方向の長さは、４２０ｍｍである、
ことを特徴とする請求項１に記載の画像形成装置。
【請求項３】
前記第一の記録材の前記副走査方向の長さは、２１０ｍｍである、
ことを特徴とする請求項１又は２に記載の画像形成装置。
【請求項４】
前記現像装置の周囲の温度を検知するための温度センサを更に備え、
前記制御部は、前記温度センサによって検知された前記現像装置の周囲の温度が所定温度以上である場合に、前記モードを実行する、
ことを特徴とする請求項１乃至３のいずれか１項に記載の画像形成装置。
【請求項５】
前記現像装置に設けられ、前記現像容器に収容された前記現像剤の温度を検知するための温度センサを更に備え、
前記制御部は、前記温度センサによって検知された前記現像容器に収容された前記現像剤の温度が所定温度以上である場合に、前記モードを実行する、
ことを特徴とする請求項１乃至３のいずれか１項に記載の画像形成装置。
【請求項６】
前記制御部は、前記画像形成ジョブの実行により複数の記録材のそれぞれに画像を形成することに伴って消費される前記トナーの量に関する情報と、前記補給用スクリュが１回転するごとに前記現像装置に補給される前記補給用現像剤の量に関する情報に基づいて、前記所定回数を設定する、
ことを特徴とする請求項１乃至５のいずれか１項に記載の画像形成装置。
【請求項７】
前記現像装置に設けられ、前記現像容器に収容された前記現像剤のトナー濃度を検知するためのトナー濃度センサを更に備え、
前記制御部は、前記画像形成ジョブの実行により複数の記録材のそれぞれに画像を形成することに伴って消費される前記トナーの量に関する情報と、前記補給用スクリュが１回転するごとに前記現像装置に補給される前記補給用現像剤の量に関する情報と、前記トナー濃度センサによって検知された前記トナー濃度に関する情報に基づいて、前記所定回数を設定する、
ことを特徴とする請求項１乃至５のいずれか１項に記載の画像形成装置。
【請求項８】
前記トナー濃度センサは、インダクタンスセンサである、
ことを特徴とする請求項７に記載の画像形成装置。
【請求項９】
前記補給用現像剤を収容する補給用現像剤収容部を更に備え、
前記補給用スクリュは、前記補給用現像剤収容部に設けられ、前記補給用現像剤収容部に収容された前記補給用現像剤を搬送する、
ことを特徴とする請求項１乃至８のいずれか１項に記載の画像形成装置。
【請求項１０】
前記駆動装置は、ステッピングモータである、
ことを特徴とする請求項１乃至９のいずれか１項に記載の画像形成装置。
【請求項１１】
前記駆動装置は、ＤＣモータである、
ことを特徴とする請求項１乃至９のいずれか１項に記載の画像形成装置。
【請求項１２】
複数の記録材に画像を連続的に形成する画像形成ジョブを実行可能な画像形成装置であって、
静電像が形成される像担持体と、
前記像担持体に静電像を形成するために前記像担持体を露光する露光装置と、
前記像担持体に形成された静電像を現像するためにトナーとキャリアを含む現像剤を担持する現像剤担持体と、前記現像剤担持体に供給される前記現像剤を収容する現像容器と、前記現像容器に収容された前記現像剤を搬送する現像剤搬送部と、を有する現像装置と、
前記現像装置に補給用現像剤を補給するための補給用スクリュと、
前記補給用スクリュを回転駆動するための駆動装置と、
複数のＡ４サイズの記録材に画像を連続的に形成する画像形成ジョブを実行している間に前記現像装置に前記補給用現像剤を所定量補給するために前記補給用スクリュを所定回数回転させるときの、前記補給用スクリュの回転速度が第一の速度となるように前記駆動装置を制御し、且つ、複数のＡ３サイズの記録材に画像を連続的に形成する画像形成ジョブを実行している間に前記現像装置に前記補給用現像剤を前記所定量補給するために前記補給用スクリュを前記所定回数回転させるときの、前記補給用スクリュの回転速度が前記第一の速度よりも遅い第二の速度となるように前記駆動装置を制御するモードを実行可能な制御部と、
を備えることを特徴とする画像形成装置。
【請求項１３】
前記現像装置の周囲の温度を検知するための温度センサを更に備え、
前記制御部は、前記温度センサによって検知された前記現像装置の周囲の温度が所定温度以上である場合に、前記モードを実行する、
ことを特徴とする請求項１２に記載の画像形成装置。
【請求項１４】
前記現像装置に設けられ、前記現像容器に収容された前記現像剤の温度を検知するための温度センサを更に備え、
前記制御部は、前記温度センサによって検知された前記現像容器に収容された前記現像剤の温度が所定温度以上である場合に、前記モードを実行する、
ことを特徴とする請求項１２に記載の画像形成装置。
【請求項１５】
前記制御部は、前記画像形成ジョブの実行により複数の記録材のそれぞれに画像を形成することに伴って消費される前記トナーの量に関する情報と、前記補給用スクリュが１回転するごとに前記現像装置に補給される前記補給用現像剤の量に関する情報に基づいて、前記所定回数を設定する、
ことを特徴とする請求項１２乃至１４のいずれか１項に記載の画像形成装置。
【請求項１６】
前記現像装置に設けられ、前記現像容器に収容された前記現像剤のトナー濃度を検知するためのトナー濃度センサを更に備え、
前記制御部は、前記画像形成ジョブの実行により複数の記録材のそれぞれに画像を形成することに伴って消費される前記トナーの量に関する情報と、前記補給用スクリュが１回転するごとに前記現像装置に補給される前記補給用現像剤の量に関する情報と、前記トナー濃度センサによって検知された前記トナー濃度に関する情報に基づいて、前記所定回数を設定する、
ことを特徴とする請求項１２乃至１４のいずれか１項に記載の画像形成装置。
【請求項１７】
前記トナー濃度センサは、インダクタンスセンサである、
ことを特徴とする請求項１６に記載の画像形成装置。
【請求項１８】
前記補給用現像剤を収容する補給用現像剤収容部を更に備え、
前記補給用スクリュは、前記補給用現像剤収容部に設けられ、前記補給用現像剤収容部に収容された前記補給用現像剤を搬送する、
ことを特徴とする請求項１２乃至１７のいずれか１項に記載の画像形成装置。
【請求項１９】
前記駆動装置は、ステッピングモータである、
ことを特徴とする請求項１２乃至１８のいずれか１項に記載の画像形成装置。
【請求項２０】
前記駆動装置は、ＤＣモータである、
ことを特徴とする請求項１２乃至１８のいずれか１項に記載の画像形成装置。
【手続補正２】
【補正対象書類名】明細書
【補正対象項目名】０００７
【補正方法】変更
【補正の内容】
【０００７】
本発明の画像形成装置は、複数の記録材に画像を連続的に形成する画像形成ジョブを実行可能な画像形成装置であって、静電像が形成される像担持体と、前記像担持体に静電像を形成するために前記像担持体を露光する露光装置と、前記像担持体に形成された静電像を現像するためにトナーとキャリアを含む現像剤を担持する現像剤担持体と、前記現像剤担持体に供給される前記現像剤を収容する現像容器と、前記現像容器に収容された前記現像剤を搬送する現像剤搬送部と、を有する現像装置と、前記現像装置に補給用現像剤を補給するための補給用スクリュと、前記補給用スクリュを回転駆動するための駆動装置と、 複数の第一の記録材に画像を連続的に形成する画像形成ジョブを実行している間に前記現像装置に前記補給用現像剤を所定量補給するために前記補給用スクリュを所定回数回転させるときの、前記補給用スクリュの回転速度が第一の速度となるように前記駆動装置を制御し、且つ、前記第一の記録材よりも副走査方向の長さが長い複数の第二の記録材に画像を連続的に形成する画像形成ジョブを実行している間に前記現像装置に前記補給用現像剤を前記所定量補給するために前記補給用スクリュを前記所定回数回転させるときの、前記補給用スクリュの回転速度が前記第一の速度よりも遅い第二の速度となるように前記駆動装置を制御するモードを実行可能な制御部と、を備えることを特徴とする。
【手続補正３】
【補正対象書類名】明細書
【補正対象項目名】０００８
【補正方法】変更
【補正の内容】
【０００８】
また、本発明の画像形成装置は、複数の記録材に画像を連続的に形成する画像形成ジョブを実行可能な画像形成装置であって、静電像が形成される像担持体と、前記像担持体に静電像を形成するために前記像担持体を露光する露光装置と、前記像担持体に形成された静電像を現像するためにトナーとキャリアを含む現像剤を担持する現像剤担持体と、前記現像剤担持体に供給される前記現像剤を収容する現像容器と、前記現像容器に収容された前記現像剤を搬送する現像剤搬送部と、を有する現像装置と、前記現像装置に補給用現像剤を補給するための補給用スクリュと、前記補給用スクリュを回転駆動するための駆動装置と、複数のＡ４サイズの記録材に画像を連続的に形成する画像形成ジョブを実行している間に前記現像装置に前記補給用現像剤を所定量補給するために前記補給用スクリュを所定回数回転させるときの、前記補給用スクリュの回転速度が第一の速度となるように前記駆動装置を制御し、且つ、複数のＡ３サイズの記録材に画像を連続的に形成する画像形成ジョブを実行している間に前記現像装置に前記補給用現像剤を前記所定量補給するために前記補給用スクリュを前記所定回数回転させるときの、前記補給用スクリュの回転速度が前記第一の速度よりも遅い第二の速度となるように前記駆動装置を制御するモードを実行可能な制御部と、を備えることを特徴とする。